(57)【要約】【課題】録画番組を再生する際に、所望の場面を見つけ易くすることが可能な録画装置を提供する。【解決手段】この録画装置１００は、データ放送情報を含むテレビ放送電波を受信可能なチューナ部１と、チューナ部１により受信されたテレビ放送電波の番組を録画可能なＨＤＤ５と、テレビ放送電波の番組を録画する際に、データ放送情報に基づいて、番組の場面が変わったタイミングでチャプタを付与するとともに、録画番組を再生する際に表示可能なようにチャプタに関連付けてチャプタの説明情報を記録する制御を行う制御部７とを備える。【選択図】図４
2014003414.tif 000002
【特許請求の範囲】
【請求項１】
データ放送情報を含むテレビ放送電波を受信可能な受信部と、
前記受信部により受信された前記テレビ放送電波の番組を録画可能な録画部と、
前記テレビ放送電波の番組を録画する際に、前記データ放送情報に基づいて、前記番組の場面が変わったタイミングでチャプタを付与するとともに、録画番組を再生する際に表示可能なように前記チャプタに関連付けて前記チャプタの説明情報を記録する制御を行う制御部とを備える、録画装置。
【請求項２】
前記制御部は、前記データ放送情報に含まれるキーワードに基づいて、前記番組の場面が変わったタイミングを判断してチャプタを付与するとともに、前記チャプタに関連付けて前記キーワードに基づく前記チャプタの説明情報を記録する制御を行うように構成されている、請求項１に記載の録画装置。
【請求項３】
前記制御部は、前記データ放送情報に基づいて、前記録画対象の番組の種別を判断するとともに、前記データ放送情報に含まれる前記録画対象の番組の種別に応じたキーワードに基づいて、前記番組の場面が変わったタイミングを判断してチャプタを付与するとともに、前記チャプタに関連付けて前記キーワードに基づく前記チャプタの説明情報を記録する制御を行うように構成されている、請求項２に記載の録画装置。
【請求項４】
前記制御部は、録画番組を再生する際に、前記チャプタの説明情報を表示部に一覧表示させるとともに、ユーザにより選択された前記チャプタの説明情報に対応する場面から前記録画番組の再生を開始する制御を行うように構成されている、請求項１〜３のいずれか１項に記載の録画装置。
【請求項５】
前記制御部は、録画番組を再生する際に、前記チャプタの説明情報を、場面の種類に基づいてグループ分けした状態で前記表示部に一覧表示させるように構成されている、請求項４に記載の録画装置。
【請求項６】
前記制御部は、前記テレビ放送電波の番組を録画する際に、前記データ放送情報に基づいて前記番組の場面が変わったタイミングでチャプタを付与しながら、チャプタの付与が所定時間行われない場合には、前記番組の場面が変わったタイミングでなくてもチャプタを付与する制御を行うように構成されている、請求項１〜５のいずれか１項に記載の録画装置。
【請求項７】
前記制御部は、前記テレビ放送電波の番組のうち、少なくともスポーツ番組を録画する際に、前記データ放送情報に基づいて、前記番組の場面が変わったタイミングでチャプタを付与するとともに、前記チャプタに関連付けて前記チャプタの説明情報を記録する制御を行うように構成されている、請求項１〜６のいずれか１項に記載の録画装置。
【請求項８】
前記制御部は、前記テレビ放送電波の番組を録画する際に、所定の間隔で前記データ放送情報を確認するとともに、前記データ放送情報に基づいて、前記番組の場面が変わったタイミングでチャプタを付与する制御を行うように構成されている、請求項１〜７のいずれか１項に記載の録画装置。
【発明の詳細な説明】
【技術分野】
【０００１】
この発明は、録画装置に関し、特に、テレビ放送電波の番組を録画可能な録画装置に関する。
【背景技術】
【０００２】
従来、テレビ放送電波の番組を録画可能な録画装置が知られている（たとえば、特許文献１参照）。
【０００３】
上記特許文献１には、放送データ（テレビ放送電波）を受信可能なチューナ部と、放送データの番組を録画可能な記録手段とを備えた放送受信装置（録画装置）が開示されている。放送データには、映像情報や音声情報に加えて、番組に付随する様々な情報がデータ放送として付加されており、データ放送は、番組中に所定のタイミングで内容が更新される。そして、上記特許文献１の放送受信装置は、放送データ（テレビ放送電波）の番組を録画する際に、放送データに含まれるデータ放送が更新されたタイミングでチャプタを付与するように構成されている。これにより、ユーザは、録画番組を再生する際に、データ放送が更新された位置に再生位置をスキップさせながら所望の場面を見つけることが可能である。
【先行技術文献】
【特許文献】
【０００４】
【特許文献１】特開２００７−１８０６２７号公報
【発明の概要】
【発明が解決しようとする課題】
【０００５】
しかしながら、上記特許文献１の放送受信装置（録画装置）では、録画番組を再生する際に、データ放送が更新された位置に再生位置をスキップさせながら所望の場面を見つけることが可能である一方、データ放送が更新された全てのタイミングでチャプタが付与されるので、チャプタの数が多くなり過ぎる場合があると考えられる。この場合には、録画番組を再生する際に、所望の場面を見つけづらいという問題点がある。
【０００６】
この発明は、上記のような課題を解決するためになされたものであり、この発明の１つの目的は、録画番組を再生する際に、所望の場面を見つけ易くすることが可能な録画装置を提供することである。
【課題を解決するための手段】
【０００７】
この発明の一の局面による録画装置は、データ放送情報を含むテレビ放送電波を受信可能な受信部と、受信部により受信されたテレビ放送電波の番組を録画可能な録画部と、テレビ放送電波の番組を録画する際に、データ放送情報に基づいて、番組の場面が変わったタイミングでチャプタを付与するとともに、録画番組を再生する際に表示可能なようにチャプタに関連付けてチャプタの説明情報を記録する制御を行う制御部とを備える。
【０００８】
この発明の一の局面による録画装置では、上記のように、テレビ放送電波の番組を録画する際に、データ放送情報に基づいて、番組の場面が変わったタイミングでチャプタを付与する制御を行う制御部を設けることによって、データ放送情報が更新されたタイミングのうち、番組の場面が変わったタイミングでチャプタが付与されるので、データ放送情報が更新された全てのタイミングでチャプタを付与する場合とは異なり、チャプタの数が多くなり過ぎるのを抑制しながら、番組の場面が変わった位置にチャプタを設定することができる。これにより、ユーザは、録画番組を再生する際に、場面単位で所望の場面を探すことができるので、所望の場面が見つけ易くなる。また、録画番組を再生する際に表示可能なようにチャプタに関連付けてチャプタの説明情報を記録する制御を行うように制御部を構成することによって、ユーザは、所望の場面を探す際に、チャプタの説明情報を参照することができるので、録画番組を再生する際に、ユーザに所望の場面をより見つけ易くすることができる。
【０００９】
この場合、好ましくは、制御部は、データ放送情報に含まれるキーワードに基づいて、番組の場面が変わったタイミングを判断してチャプタを付与するとともに、チャプタに関連付けてキーワードに基づくチャプタの説明情報を記録する制御を行うように構成されている。このように構成すれば、データ放送情報に含まれるキーワードに基づいて、番組の場面が変わったタイミングをより容易に判断することができるので、より容易に、所望の場面を見つけ易くすることができる。また、ユーザが所望の場面を探す際に、キーワードに基づくチャプタの説明情報を用いてチャプタを互いに識別し易くすることができるので、所望の場面をより見つけ易くすることができる。
【００１０】
上記キーワードに基づいてタイミングを判断する構成において、好ましくは、制御部は、データ放送情報に基づいて、録画対象の番組の種別を判断するとともに、データ放送情報に含まれる録画対象の番組の種別に応じたキーワードに基づいて、番組の場面が変わったタイミングを判断してチャプタを付与するとともに、チャプタに関連付けてキーワードに基づくチャプタの説明情報を記録する制御を行うように構成されている。このように構成すれば、番組の種別に応じたキーワードに基づいて、番組の場面が変わったタイミングを精度よく判断することができるので、番組の場面が変わったタイミングに精度よくチャプタを付与することができる。また、ユーザが所望の場面を探す際に、番組の種別に応じたキーワードに基づくチャプタの説明情報を用いてチャプタを互いにより識別し易くすることができるので、所望の場面をさらに見つけ易くすることができる。
【００１１】
上記一の局面による録画装置において、好ましくは、制御部は、録画番組を再生する際に、チャプタの説明情報を表示部に一覧表示させるとともに、ユーザにより選択されたチャプタの説明情報に対応する場面から録画番組の再生を開始する制御を行うように構成されている。このように構成すれば、ユーザは、表示部に一覧表示されたチャプタの説明情報を参照して所望の場面を容易に見つけることができるとともに、所望の場面から録画番組の視聴を開始することができる。
【００１２】
この場合、好ましくは、制御部は、録画番組を再生する際に、チャプタの説明情報を、場面の種類に基づいてグループ分けした状態で表示部に一覧表示させるように構成されている。このように構成すれば、ユーザは、場面の種類に基づいてグループ分けされた状態のチャプタの説明情報を参照して、所望の場面をより容易に見つけることができる。
【００１３】
上記一の局面による録画装置において、好ましくは、制御部は、テレビ放送電波の番組を録画する際に、データ放送情報に基づいて番組の場面が変わったタイミングでチャプタを付与しながら、チャプタの付与が所定時間行われない場合には、番組の場面が変わったタイミングでなくてもチャプタを付与する制御を行うように構成されている。このように構成すれば、場面が長時間変わらない場合でも、チャプタの付与が所定時間行われない場合に自動的にチャプタが付与されるので、録画番組を再生する際に、所望の場面を見つけ易くしながら、チャプタの間隔が大きくなり過ぎるのを抑制することができる。
【００１４】
上記一の局面による録画装置において、好ましくは、制御部は、テレビ放送電波の番組のうち、少なくともスポーツ番組を録画する際に、データ放送情報に基づいて、番組の場面が変わったタイミングでチャプタを付与するとともに、チャプタに関連付けてチャプタの説明情報を記録する制御を行うように構成されている。このように構成すれば、録画したスポーツ番組を再生する際に、所望の場面を見つけ易くすることができるので、ユーザは、試合（競技）全体を通して見る時間がなくても、所望の場面だけを選択的に視聴してスポーツ番組を楽しむことができる。
【００１５】
上記一の局面による録画装置において、好ましくは、制御部は、テレビ放送電波の番組を録画する際に、所定の間隔でデータ放送情報を確認するとともに、データ放送情報に基づいて、番組の場面が変わったタイミングでチャプタを付与する制御を行うように構成されている。このように構成すれば、番組の経過に伴って更新されるデータ放送情報が所定の間隔で確認されるので、より新しいデータ放送情報に基づいて、場面が変わったタイミングに精度よくチャプタを付与することができる。
【図面の簡単な説明】
【００１６】
【図１】本発明の第１実施形態による録画装置の全体の構成を示したブロック図である。
【図２】本発明の第１実施形態による録画装置におけるチャプタを時間順に一覧表示した状態を示した図である。
【図３】本発明の第１実施形態による録画装置におけるチャプタをグループ分けして一覧表示した状態を示した図である。
【図４】本発明の第１実施形態による録画装置の制御部による録画時の処理を説明するためのフローチャートである。
【図５】本発明の第２実施形態による録画装置におけるチャプタを時間順に一覧表示した状態を示した図である。
【図６】本発明の第２実施形態による録画装置におけるチャプタをグループ分けして一覧表示した状態を示した図である。
【図７】本発明の第２実施形態による録画装置の制御部による録画時の処理を説明するためのフローチャートである。
【発明を実施するための形態】
【００１７】
以下、本発明の実施形態を図面に基づいて説明する。
【００１８】
（第１実施形態）
図１を参照して、本発明の第１実施形態による録画装置１００の構成について説明する。
【００１９】
第１実施形態による録画装置１００は、チューナ部１と、ローダ２と、出力端子３と、リモコン受信部４と、ＨＤＤ（ハードディスクドライブ）５と、フラッシュメモリ６と、制御部７とを備えている。録画装置１００は、テレビ放送電波により放送される番組を録画可能であるとともに、録画番組を再生可能に構成されている。
【００２０】
チューナ部１は、データ放送情報を含むテレビ放送電波を受信可能に構成されている。データ放送情報は、対応する番組の経過情報および対応する番組の種別情報などを含む情報であり、ＢＭＬ（Ｂｒｏａｄｃａｓｔ  Ｍａｒｋｕｐ  Ｌａｎｇｕａｇｅ）形式の記述言語により規定されている。たとえば、スポーツ番組の場合、番組の経過情報としては、得点の情報や選手交代の情報、試合（競技）の経過時間の情報などがある。また、番組の種別情報は、ニュース番組やスポーツ番組、歌番組などを互いに識別可能な情報を含み、たとえば、スポーツ番組の場合には、スポーツの種目も識別可能になっている。なお、チューナ部１は、本発明の「受信部」の一例である。
【００２１】
ローダ２は、図示しないＤＶＤおよびＢＤ（Ｂｌｕ−ｒａｙ  Ｄｉｓｃ）（登録商標）に記録されたデータを読み出すために設けられている。出力端子３は、テレビ２０に音声信号および映像信号を出力するために設けられている。これにより、録画装置１００で録画した番組をテレビ２０を介して視聴することが可能である。リモコン受信部４は、リモコン３０から送信される信号を受信可能に構成されている。ユーザは、リモコン３０を用いて番組の録画指示や録画予約を行うことが可能である。
【００２２】
ＨＤＤ５は、チューナ部１により受信されたテレビ放送電波の番組を録画可能に構成されている。なお、ＨＤＤ５は、本発明の「録画部」の一例である。フラッシュメモリ６は、書き換え可能な不揮発性メモリである。フラッシュメモリ６には、番組の種別毎に種別に応じた複数のキーワードの情報が予め格納されている。具体的には、番組の種別に応じたキーワードは、番組の場面変化に関連するキーワードであり、番組の場面が変わった際に受信されるデータ放送情報に含まれるキーワードである。たとえば、野球の中継番組の場合には、打者交代、投手交代、攻守交代、試合終了、ヒット、ホームランなどのキーワードがある。サッカーの中継番組の場合には、得点、選手交代、ハーフタイム、コーナキック、ペナルティキックなどのキーワードがある。
【００２３】
制御部７は、ＣＰＵからなり、録画装置１００全体を制御する機能を有している。制御部７は、番組を録画する際に、番組の場面が変わったタイミングでチャプタを付与する制御を行うように構成されている。この際、制御部７は、テレビ放送電波に含まれるデータ放送情報に基づいて、場面が変わったタイミングを判断するように構成されている。具体的には、制御部７は、データ放送情報と、フラッシュメモリ６に格納された番組の場面変化に関連するキーワードとに基づいて、場面が変わったタイミングを判断するように構成されている。また、制御部７は、録画番組を再生する際に表示可能なようにチャプタに関連付けてチャプタの説明情報を記録する制御を行うように構成されている。なお、第１実施形態による録画装置１００の制御部７による録画時の処理の詳細については後述する。
【００２４】
制御部７は、録画番組を再生する際には、図２および図３に示すように、テレビ２０にチャプタの説明情報を一覧表示させる機能を有している。なお、テレビ２０は、本発明の「表示部」の一例である。また、制御部７は、対応する録画番組のチャプタの説明情報を、図２に示すように、時間順に一覧表示させることが可能であるとともに、図３に示すように、場面の種類に基づいてグループ分けした状態で一覧表示させることも可能である。グループ分けして表示させる際には、図３に示すように、番組の場面変化に関連するキーワード毎にグループ分けされて表示される。また、制御部７は、チャプタの説明情報とともに、チャプタのサムネイル画像を一覧表示させてもよい。ユーザが一覧表示された複数の説明情報の中からいずれかの説明情報を選択した場合には、制御部７は、選択された説明情報に対応する場面から録画番組の再生を開始する制御を行うように構成されている。
【００２５】
次に、図４を参照して、第１実施形態による録画装置１００の制御部７により実行される録画時の処理について説明する。この処理は、番組録画が行われる際に実行される。
【００２６】
まず、制御部７は、ステップＳ１において、チャプタ付与の設定が有効か否かを判断する。ユーザは、チャプタ付与する機能の有効／無効を任意に設定可能である。チャプタ付与の設定が有効の場合には、制御部７は、ステップＳ２において、データ放送情報に含まれる番組の種別情報に基づいて、録画対象の番組の種別を判断してチャプタ付与に対応した番組であるか否かを判断する。第１実施形態では、チャプタ付与対応の番組としてスポーツの中継番組がある。また、複数のスポーツ種目のうち、チャプタ付与対応の種目としては、野球、サッカー、テニス、ゴルフ、バスケットボール、相撲、ラグビー、アメリカンフットボール、競馬、格闘技およびフィギュアスケートなどがある。制御部７は、データ放送情報に基づいて、録画対象の番組が、スポーツの中継番組であり、かつ、チャプタ付与対応の種目の中継番組である場合に、録画対象の番組がチャプタ付与対応の番組であると判断する。一方、録画対象の番組が、スポーツの中継番組以外の番組の場合およびスポーツの中継番組であってもチャプタ付与対応の種目の中継番組でない場合には、制御部７は、録画対象の番組がチャプタ付与非対応の番組であると判断する。
【００２７】
制御部７は、チャプタ付与の設定が無効の場合および録画対象の番組がチャプタ付与非対応の場合には、ステップＳ３において、チャプタ付与を行わない通常の録画処理を行う。そして、ステップＳ４において、録画終了時刻か否かを判断し、録画終了時刻になるまでステップＳ３の通常の録画処理を継続する。録画終了時刻になると、制御部７は、ステップＳ５において、録画を停止して録画時の処理を終了する。
【００２８】
チャプタ付与の設定が有効であり、かつ、録画対象の番組がチャプタ付与対応の番組の場合には、制御部７は、ステップＳ６において、録画を開始するとともに、ステップＳ７において、録画終了時刻か否かを判断する。録画終了時刻でない場合には、ステップＳ８において、所定の間隔（たとえば、１分間隔）で場面情報を確認する。具体的には、制御部７は、所定の間隔でテレビ放送電波に含まれるデータ放送情報を確認して、データ放送情報に含まれるキーワードを確認する。この際、制御部７は、フラッシュメモリ６に格納された場面変化に関連するキーワード（たとえば、サッカーの中継番組の場合には、得点、選手交代、ハーフタイム、コーナキック、ペナルティキックなど）がデータ放送情報に含まれているか否かを確認する。そして、ステップＳ９において、制御部７は、フラッシュメモリ６に格納されたキーワードがデータ放送情報に含まれている場合に、場面が変わったタイミングであると判断する。すなわち、制御部７は、データ放送情報に含まれるキーワードと、フラッシュメモリ６に格納された番組の場面変化に関連するキーワードとに基づいて、場面が変わったタイミングを判断する。そして、場面が変わったタイミングではないと判断した場合には、ステップＳ７の動作に戻る。
【００２９】
一方、場面が変わったタイミングであると判断した場合には、制御部７は、ステップＳ１０において、チャプタを付与するとともに、ステップＳ１１において、チャプタに関連付けてチャプタの説明情報を記録する制御を行う。制御部７は、チャプタの説明情報を記録する際に、場面が変わったタイミングを判断するのに用いたキーワードを説明情報に含める。この際、図２および図３に示すように、キーワードと共に経過時間の情報を説明情報に含めてもよい。たとえば、「コーナキック」というキーワードに対応してチャプタが付与された場合には、チャプタの説明情報として、「コーナキック（前半○○分）」という文字情報が記録される。これにより、録画番組を再生する際に、図２および図３に示すように、番組の場面が識別可能な状態で説明情報を一覧表示させることが可能である。そして、制御部７は、録画終了時刻になるまで、ステップＳ７〜Ｓ１１の動作を繰り返し、録画終了時刻になると、ステップＳ５において録画を停止して録画時の処理を終了する。
【００３０】
第１実施形態では、上記のように、テレビ放送電波の番組を録画する際に、データ放送情報に基づいて、番組の場面が変わったタイミングでチャプタを付与する制御を行う制御部７を設けることによって、データ放送情報が更新されたタイミングのうち、番組の場面が変わったタイミングでチャプタが付与されるので、データ放送情報が更新された全てのタイミングでチャプタを付与する場合とは異なり、チャプタの数が多くなり過ぎるのを抑制しながら、番組の場面が変わった位置にチャプタを設定することができる。これにより、ユーザは、録画番組を再生する際に、場面単位で所望の場面を探すことができるので、所望の場面が見つけ易くなる。また、録画番組を再生する際に表示可能なようにチャプタに関連付けてチャプタの説明情報を記録する制御を行うように制御部７を構成することによって、ユーザは、所望の場面を探す際に、チャプタの説明情報を参照することができるので、録画番組を再生する際に、ユーザに所望の場面をより見つけ易くすることができる。
【００３１】
また、第１実施形態では、データ放送情報に含まれるキーワードに基づいて、番組の場面が変わったタイミングを判断してチャプタを付与するとともに、チャプタに関連付けてキーワードに基づくチャプタの説明情報を記録する制御を行うように制御部７を構成する。これにより、データ放送情報に含まれるキーワードに基づいて、番組の場面が変わったタイミングをより容易に判断することができるので、より容易に、所望の場面を見つけ易くすることができる。また、ユーザが所望の場面を探す際に、キーワードに基づくチャプタの説明情報を用いてチャプタを互いに識別し易くすることができるので、所望の場面をより見つけ易くすることができる。
【００３２】
また、第１実施形態では、データ放送情報に基づいて、録画対象の番組の種別を判断するとともに、データ放送情報に含まれる録画対象の番組の種別に応じたキーワードに基づいて、番組の場面が変わったタイミングを判断してチャプタを付与するとともに、チャプタに関連付けてキーワードに基づくチャプタの説明情報を記録する制御を行うように制御部７を構成する。これにより、番組の種別に応じたキーワードに基づいて、番組の場面が変わったタイミングを精度よく判断することができるので、番組の場面が変わったタイミングに精度よくチャプタを付与することができる。また、ユーザが所望の場面を探す際に、番組の種別に応じたキーワードに基づくチャプタの説明情報を用いてチャプタを互いにより識別し易くすることができるので、所望の場面をさらに見つけ易くすることができる。
【００３３】
また、第１実施形態では、録画番組を再生する際に、チャプタの説明情報をテレビ２０に一覧表示させるとともに、ユーザにより選択されたチャプタの説明情報に対応する場面から録画番組の再生を開始する制御を行うように制御部７を構成する。これにより、ユーザは、テレビ２０に一覧表示されたチャプタの説明情報を参照して所望の場面を容易に見つけることができるとともに、所望の場面から録画番組の視聴を開始することができる。
【００３４】
また、第１実施形態では、録画番組を再生する際に、チャプタの説明情報を、場面の種類に基づいてグループ分けした状態でテレビ２０に一覧表示させるように制御部７を構成する。これにより、ユーザは、場面の種類に基づいてグループ分けされた状態のチャプタの説明情報を参照して、所望の場面をより容易に見つけることができる。
【００３５】
また、第１実施形態では、スポーツ番組を録画する際に、データ放送情報に基づいて、番組の場面が変わったタイミングでチャプタを付与するとともに、チャプタに関連付けてチャプタの説明情報を記録する制御を行うように制御部７を構成する。これにより、録画したスポーツ番組を再生する際に、所望の場面を見つけ易くすることができるので、ユーザは、試合（競技）全体を通して見る時間がなくても、所望の場面だけを選択的に視聴してスポーツ番組を楽しむことができる。
【００３６】
また、第１実施形態では、テレビ放送電波の番組を録画する際に、所定の間隔（たとえば、１分間隔）でデータ放送情報を確認するとともに、データ放送情報に基づいて、番組の場面が変わったタイミングでチャプタを付与する制御を行うように制御部７を構成する。これにより、番組の経過に伴って更新されるデータ放送情報が所定の間隔で確認されるので、より新しいデータ放送情報に基づいて、場面が変わったタイミングに精度よくチャプタを付与することができる。
【００３７】
（第２実施形態）
次に、図５および図６を参照して、本発明の第２実施形態による録画装置１００の構成について説明する。この第２実施形態では、上記第１実施形態と異なり、番組の場面が変わったタイミングでチャプタを付与することに加えて、チャプタの付与が所定時間行われない場合には、場面が変わったタイミングでなくてもチャプタを付与する構成について説明する。
【００３８】
第２実施形態では、録画装置１００の制御部７は、テレビ放送電波の番組を録画する際に、番組の場面が変わったタイミングでチャプタを付与しながら、チャプタの付与が所定時間（たとえば、１０分間）行われない場合には、場面の変わったタイミングでなくてもチャプタを付与する制御を行うように構成されている。すなわち、制御部７は、場面が長時間変わらない場合でも、チャプタの間隔が大きくなり過ぎないように、前回のチャプタの付与時から所定時間経過時にチャプタを付与する制御を行う。なお、第２実施形態による録画装置１００の制御部７による録画時の処理の詳細については後述する。
【００３９】
制御部７は、録画番組を再生する際に、テレビ２０にチャプタの説明情報を一覧表示させる場合には、録画番組のチャプタの説明情報を、図５に示すように、時間順に一覧表示させることが可能であるとともに、図６に示すように、場面の種類に基づいてグループ分けした状態で一覧表示させることも可能である。第２実施形態では、説明情報を表示する画面に、場面が変わったタイミングで付与されたチャプタの説明情報とともに、所定時間チャプタが付与されなかったことに起因して付与されたチャプタの説明情報も併せて一覧表示される。制御部７は、所定時間チャプタが付与されなかったことに起因して付与されたチャプタの説明情報を、場面が変わったタイミングのチャプタの説明情報と識別可能に表示させる。具体的には、所定時間チャプタが付与されなかったことに起因して付与されたチャプタの説明情報は、「所定時間経過時のチャプタ」という文字情報で表示される。また、グループ分けして表示させる場合には、図６に示すように、場面変化時のチャプタ群と、所定時間経過時のチャプタ群とにグループ分けされて表示される。また、場面変化時のチャプタ群は、番組の場面変化に関連するキーワード毎にグループ分けされて表示される。
【００４０】
次に、図７を参照して、第２実施形態による録画装置１００の制御部７により実行される録画時の処理について説明する。なお、以下の説明では、図４に示した上記第１実施形態におけるステップ番号と同じステップ番号の動作は、上記第１実施形態と同様であるので、その説明を省略する。
【００４１】
制御部７は、ステップＳ９において、場面が変わったタイミングではないと判断した場合には、ステップＳ２１において、前回チャプタが付与されてから所定時間（たとえば、１０分間）が経過したか否かを判断する。所定時間が経過していなければ、ステップＳ７に戻る。所定時間が経過した場合には、ステップＳ１０において、チャプタを付与するとともに、ステップＳ１１において、チャプタに関連付けてチャプタの説明情報を記録する制御を行う。前回のチャプタから所定時間が経過したことに起因してチャプタが付与された場合には、チャプタの説明情報として、チャプタに関連付けて所定時間経過時のチャプタであることを識別可能な情報（「所定時間経過時のチャプタ」という文字情報を含む情報）を記録する。
【００４２】
なお、第２実施形態のその他の構成は、上記第１実施形態と同様である。
【００４３】
第２実施形態の構成では、上記のように、テレビ放送電波の番組を録画する際に、データ放送情報に基づいて番組の場面が変わったタイミングでチャプタを付与しながら、チャプタの付与が所定時間（たとえば、１０分間）行われない場合には、番組の場面が変わったタイミングでなくてもチャプタを付与する制御を行うように制御部７を構成する。これにより、場面が長時間変わらない場合でも、チャプタの付与が所定時間行われない場合に自動的にチャプタが付与されるので、録画番組を再生する際に、所望の場面を見つけ易くしながら、チャプタの間隔が大きくなり過ぎるのを抑制することができる。
【００４４】
また、第２実施形態の構成でも、上記第１実施形態と同様に、テレビ放送電波の番組を録画する際に、データ放送情報に基づいて、番組の場面が変わったタイミングでチャプタを付与する制御を行う制御部７を設けることによって、データ放送情報が更新された全てのタイミングでチャプタを付与する場合とは異なり、ユーザは、録画番組を再生する際に、場面単位で所望の場面を探すことができるので、所望の場面が見つけ易くなる。また、テレビ放送電波の番組を録画する際に、チャプタに関連付けてチャプタの説明情報を記録する制御を行うように制御部７を構成することによって、ユーザは、所望の場面を探す際に、チャプタの説明情報を参照することができるので、録画番組を再生する際に、ユーザに所望の場面をより見つけ易くすることができる。
【００４５】
なお、第２実施形態のその他の効果は、上記第１実施形態と同様である。
【００４６】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４７】
また、上記第１および第２実施形態では、チャプタ付与対応の番組の一例として、スポーツの中継番組を示したが、本発明はこれに限られない。本発明では、たとえば、歌番組やクイズ番組など、スポーツの中継番組以外の番組をチャプタ付与対応の番組としてもよい。歌番組の場合には、データ放送情報に基づいて、たとえば、歌手交代や歌の開始のタイミングを番組の場面が変わったタイミングとしてチャプタを付与する。また、クイズ番組の場合には、データ放送情報に基づいて、たとえば、得点が入ったタイミングやクイズのステージが変わったタイミングを番組の場面が変わったタイミングとしてチャプタを付与する。
【００４８】
また、上記第１および第２実施形態では、番組の種別に応じたキーワードの情報がフラッシュメモリに予め格納されている構成の例を示したが、本発明はこれに限られない。本発明では、番組の種別に応じたキーワードを、ユーザが任意に設定可能な構成であってもよい。
【００４９】
また、上記第１および第２実施形態では、制御部により、録画対象の番組の種別を自動的に判断する例を示したが、本発明はこれに限られない。本発明では、録画対象の番組の種別を、ユーザの操作により設定してもよい。
【００５０】
また、上記第１および第２実施形態では、録画番組を再生する際に、外部機器のテレビ（表示部）にチャプタの説明情報を表示させる構成の例を示したが、本発明はこれに限られない。本発明では、録画番組を再生する際に、テレビ以外の表示部を備えた外部機器にチャプタの説明情報を表示させる構成であってもよいし、録画装置自体に設けられた表示部にチャプタの説明情報を表示させる構成であってもよい。
【００５１】
また、上記第１および第２実施形態では、付与したチャプタの全てに説明情報を関連付ける構成の例を示したが、本発明はこれに限られない。本発明では、付与した複数のチャプタのうち、一部のチャプタのみに説明情報を関連付ける構成であってもよい。
【００５２】
また、上記第１および第２実施形態では、説明の便宜上、本発明の制御部の処理を処理フローに沿って順番に処理を行うフロー駆動型のフローチャートを用いて説明したが、本発明はこれに限られない。本発明では、制御部の処理動作を、イベント単位で処理を実行するイベント駆動型（イベントドリブン型）の処理により行ってもよい。この場合、完全なイベント駆動型で行ってもよいし、イベント駆動およびフロー駆動を組み合わせて行ってもよい。
【符号の説明】
【００５３】
１  チューナ部（受信部）
５  ＨＤＤ（録画部）
７  制御部
２０  テレビ（表示部）
１００  録画装置
【図１】
2014003414.tif 000003
【図２】
2014003414.tif 000004
【図３】
2014003414.tif 000005
【図４】
2014003414.tif 000006
【図５】
2014003414.tif 000007
【図６】
2014003414.tif 000008
【図７】
2014003414.tif 000009